(57)【要約】【課題】  タイヤ側壁に毛状繊維により装飾された装飾部を設けるに際し、毛状繊維の脱落を防止し、毛状繊維に基づく装飾効果を長期にわたって維持することを可能にした空気入りタイヤを提供する。【解決手段】  タイヤ側壁１０に毛状繊維２０により装飾された装飾部１１を設けた空気入りタイヤであって、装飾部１１に少なくとも１つの凹部１３を形成し、該凹部１３内に毛状繊維２０を植毛する。【選択図】  図１
2015077930.tif 000002
【特許請求の範囲】
【請求項１】
タイヤ側壁に毛状繊維により装飾された装飾部を設けた空気入りタイヤであって、前記装飾部に少なくとも１つの凹部を形成し、該凹部内に前記毛状繊維を植毛したことを特徴とする空気入りタイヤ。
【請求項２】
前記凹部が溝であることを特徴とする請求項１に記載の空気入りタイヤ。
【請求項３】
前記凹部がディンプルであることを特徴とする請求項１に記載の空気入りタイヤ。
【請求項４】
前記凹部が文字、数字、記号又は図形からなる標章を形成することを特徴とする請求項１に記載の空気入りタイヤ。
【請求項５】
前記凹部がタイヤ表面に対して平行な底面を備え、該底面に対して前記毛状繊維を植毛したことを特徴とする請求項１〜４のいずれかに記載の空気入りタイヤ。
【請求項６】
前記凹部の深さＤに対する前記毛状繊維の長さＬの比Ｌ／Ｄが１．０以下であることを特徴とする請求項５に記載の空気入りタイヤ。
【発明の詳細な説明】
【技術分野】
【０００１】
本発明は、タイヤ側壁に毛状繊維により装飾された装飾部を設けた空気入りタイヤに関し、更に詳しくは、毛状繊維の脱落を防止し、毛状繊維に基づく装飾効果を長期にわたって維持することを可能にした空気入りタイヤに関する。
【背景技術】
【０００２】
空気入りタイヤにおいて、視認性やファッション性を向上する目的で、タイヤの外表面（例えば、サイドウォール部）を塗料や着色剤等で被覆すること（例えば、特許文献１〜２参照）が提案されている。
【０００３】
しかしながら、タイヤの外表面に単に塗料や着色剤等を塗布する方法では、タイヤが縁石等の異物と接触した際に、着色部分に擦傷が形成されたり、着色部分が脱落したりするという問題がある。
【０００４】
また、他の手法として、空気入りタイヤのサイドウォール部に凸部を形成し、その凸部の頂面に接着処理層を介して毛状繊維を植毛すること（例えば、特許文献３参照）が提案されている。
【０００５】
しかしながら、この場合も、毛状繊維がタイヤ回転時に強い風圧を受けたり、タイヤが縁石等の異物と接触したりすることで、凸部の頂面に植毛された毛状繊維が脱落するので、毛状繊維に基づく装飾効果を長期にわたって維持することが難しい。
【先行技術文献】
【特許文献】
【０００６】
【特許文献１】実開平７−３７７１３号公報
【特許文献２】特表２００４−５２６８１４号公報
【特許文献３】特開２０１２−１１６２１７号公報
【発明の概要】
【発明が解決しようとする課題】
【０００７】
本発明の目的は、タイヤ側壁に毛状繊維により装飾された装飾部を設けるに際し、毛状繊維の脱落を防止し、毛状繊維に基づく装飾効果を長期にわたって維持することを可能にした空気入りタイヤを提供することにある。
【課題を解決するための手段】
【０００８】
上記目的を達成するための本発明の空気入りタイヤは、タイヤ側壁に毛状繊維により装飾された装飾部を設けた空気入りタイヤであって、前記装飾部に少なくとも１つの凹部を形成し、該凹部内に前記毛状繊維を植毛したことを特徴とするものである。
【発明の効果】
【０００９】
本発明では、タイヤ側壁に毛状繊維により装飾された装飾部を設けるにあたって、その装飾部に少なくとも１つの凹部を形成し、該凹部内に毛状繊維を植毛するので、タイヤが縁石等の異物と接触した場合等において、毛状繊維の脱落を防止することができる。また、毛状繊維を凹部内に植毛するので、毛状繊維がタイヤ回転時に強い風圧を受けるのを回避し、かつ毛状繊維の耐候性も改善することができる。そのため、毛状繊維に基づく装飾効果を長期にわたって維持することができる。しかも、凹部内に毛状繊維を植毛した場合、タイヤ回転時に凹部内に流れ込むような気流が形成され難くなるため、これら毛状繊維の凹部内への植毛が走行時における空気抵抗の低減に寄与するという副次的な効果を得ることができる。
【００１０】
本発明において、凹部は溝やディンプルから構成することが可能であるが、凹部が文字、数字、記号又は図形からなる標章を形成するようにしても良い。いずれの場合も、毛状繊維に基づく装飾効果とその脱落防止効果とを両立することができる。
【００１１】
凹部はタイヤ表面に対して平行な底面を備え、該底面に対して毛状繊維を植毛することが好ましい。このようにタイヤ表面に対して平行な底面に対して毛状繊維を植毛した場合、毛状繊維の脱落防止効果を高めることができる。特に、凹部の深さＤに対する毛状繊維の長さＬの比Ｌ／Ｄが１．０以下であることが好ましい。これにより、毛状繊維の脱落防止効果を更に高めることができる。
【図面の簡単な説明】
【００１２】
【図１】本発明の実施形態からなる空気入りタイヤの要部を示す斜視断面図である。
【図２】本発明の空気入りタイヤにおける装飾部の一例を示す斜視断面図である。
【図３】本発明の空気入りタイヤにおける装飾部の変形例を示す斜視断面図である。
【図４】本発明の空気入りタイヤにおける装飾部の他の変形例を示す斜視断面図である。
【図５】本発明の空気入りタイヤにおける装飾部の更に他の変形例を示す斜視図である。
【図６】本発明の空気入りタイヤにおける装飾部の寸法関係を示す断面図である。
【発明を実施するための形態】
【００１３】
以下、本発明の構成について添付の図面を参照しながら詳細に説明する。図１は本発明の実施形態からなる空気入りタイヤを示すものである。
【００１４】
図１に示すように、本実施形態の空気入りタイヤは、トレッド部１と、該トレッド部１の両側に配置された一対のサイドウォール部２と、これらサイドウォール部２のタイヤ径方向内側に配置された一対のビード部３とを備えている。一対のビード部３，３間にはカーカス層４が装架されている。このカーカス層４は、各ビード部３に配置されたビードコア５の廻りにタイヤ内側から外側に巻き上げられている。一方、トレッド部１におけるカーカス層４の外周側には複数層のベルト層６が埋設されている。
【００１５】
上記空気入りタイヤにおいて、タイヤ側壁（サイドウォール部２又はビード部３の外表面）１０には、視認性やファッション性を向上する目的で、タイヤ周方向の延びる帯状の装飾部１１が形成されている。装飾部１１は、文字、数字、記号、図形等から構成される標章１２を含むものであっても良く、或いは、標章１２を含まない単なる模様であっても良い。装飾部１１には複数の凹部１３が形成され、その凹部１３内に毛状繊維２０が植毛されている。
【００１６】
毛状繊維２０としては、ナイロン繊維やポリエステル繊維等の有機繊維からなる短繊維を使用することができる。このような毛状繊維２０は任意の色に着色可能である。例えば、毛状繊維２０を白色、黄色、橙色、赤色、紫色、青色、緑色のようにタイヤが本来有する黒色以外の色に着色することにより、その装飾効果を高めることができる。
【００１７】
毛状繊維２０の密度は、１００本／ｃｍ2以上であると良い。毛状繊維２０の密度を高くすることで装飾効果を十分に発揮することができる。毛状繊維２０の密度が１００本／ｃｍ2未満であると装飾効果が低下する。毛状繊維２０の長さは、好ましくは０．２ｍｍ以上かつ５．０ｍｍ以下とする。また、毛状繊維２０の直径は、好ましくは１μｍ以上かつ５００μｍ以下とする。
【００１８】
図２〜図５はそれぞれ本発明の空気入りタイヤにおける装飾部を示すものである。図２において、装飾部１１にはタイヤ表面から突出する複数本の突条（リッジ）１４が互いに平行に延長するように形成され、それら突条１４の相互間に溝からなる凹部１３が形成されている。ここでは、タイヤ表面から突出する突条１４の相互間に溝からなる凹部１３を形成しているが、タイヤ表面から窪んだ溝からなる複数本の凹部１３を互いに平行に延長するように形成し、それら凹部１３の相互間に突条１４を残存させるようにしても良い。突条１４の横断面形状は台形をなし、溝からなる凹部１３の横断面形状は逆台形をなしている。そして、溝からなる凹部１３内に接着層２１を介して毛状繊維２０が植毛されている。また、図３に示すように、突条１４の横断面形状を三角形とし、溝からなる凹部１３の横断面形状を逆三角形としても良い。
【００１９】
図４において、装飾部１１にはタイヤ表面から突出する格子状突起１５が形成され、その格子状突起１５の間にディンプルからなる凹部１３が形成されている。ここでは、タイヤ表面から突出する格子状突起１５の間にディンプルからなる凹部１３を形成しているが、タイヤ表面から窪んだディンプルからなる複数の凹部１３を形成し、それら凹部１３の相互間に格子状突起１５を残存させるようにしても良い。格子状突起１５は格子部分の横断面形状が台形をなし、ディンプルからなる凹部１３は横断面形状が逆台形をなしている。そして、ディンプルからなる凹部１３内に接着層２１を介して毛状繊維２０が植毛されている。
【００２０】
図５においては、文字、数字、記号又は図形からなる標章１２が該標章１２の周縁に沿ってタイヤ表面から突出する輪郭部１６と該輪郭部１６の内側に形成された凹部１３とから構成されている。言い換えれば、凹部１３が文字、数字、記号又は図形からなる標章１２を形成している。そして、標章１２を形成している凹部１３の内側に接着層２１を介して毛状繊維２０が植毛されている。
【００２１】
上述した空気入りタイヤでは、タイヤ側壁１０に毛状繊維２０により装飾された装飾部１１を設けるにあたって、その装飾部１１に凹部１３を形成し、その凹部１３内に毛状繊維２０を植毛するので、タイヤが縁石等の異物と接触した場合等において、毛状繊維２０の脱落を防止することができる。また、毛状繊維２０を凹部１３内に植毛するので、毛状繊維２０がタイヤ回転時に強い風圧を受けるのを回避し、かつ毛状繊維２０の耐候性も改善することができる。そのため、毛状繊維２０に基づく装飾効果を長期にわたって維持することができる。更に、凹部１３内に毛状繊維２０を植毛した場合、タイヤ回転時に凹部１３内に流れ込むような気流が形成され難くなるため、これら毛状繊維２０の凹部１３内への植毛が走行時における空気抵抗の低減にも寄与する。
【００２２】
図６は本発明の空気入りタイヤにおける装飾部の寸法関係を示すものである。凹部１３の深さＤは０．２ｍｍ以上２ｍｍ以下であると良く、特に乗用車用空気入りタイヤでは０．２ｍｍ以上１．５ｍｍ以下であると良い。これにより、毛状繊維２０の脱落防止効果と装飾効果とを両立することができる。凹部１３の深さＤが下限値を下回ると毛状繊維２０の脱落防止効果が低下し、逆に上限値を超えると毛状繊維２０が埋没して装飾効果が低下する。
【００２３】
凹部１３は、図６に示すように、タイヤ表面Ｓに対して平行な底面１３ａとタイヤ表面Ｓの法線方向に対して傾斜して底面１３ａの外縁に繋がる傾斜面１３ｂとを有することが望ましい。そして、凹部１３の底面１３ａに対して毛状繊維２０を植毛するのが良い。このようにタイヤ表面Ｓに対して平行な底面１３ａに毛状繊維２０を植毛した場合、毛状繊維２０をしっかりと植毛することができるので、毛状繊維２０の脱落防止効果を高めることができる。
【００２４】
特に、凹部１３の深さＤに対する毛状繊維２０の長さＬの比Ｌ／Ｄが１．０以下であると良い。これにより、毛状繊維２０の脱落防止効果を更に高めることができる。ここで、比Ｌ／Ｄが１よりも大きいと毛状繊維２０がタイヤ回転時に強い風圧を受け易くなり、また毛状繊維２０が外傷を受け易くなるため、毛状繊維２０の脱落防止効果が低下する。なお、装飾効果を十分に確保するという観点から、比Ｌ／Ｄは０．２以上であることが望ましい。
【００２５】
上述した空気入りタイヤを製造する場合、タイヤ側壁１０に凹部１３を有する装飾部１１を設けた空気入りタイヤを加硫した後、凹部１３内に毛状繊維２０を植毛する。これにより、上述した空気入りタイヤを得ることができる。
【００２６】
このような空気入りタイヤの製造方法において、凹部１３を有する装飾部１１に対して毛状繊維２０を植毛した後、装飾部１１に対してバフ処理を施し、装飾部１１の凹部１３から外れた部位に付着した毛状繊維２０を除去し、凹部１３内のみに毛状繊維２０を残すことも可能である。
【００２７】
毛状繊維２０の植毛に際しては、毛状繊維２０を植毛すべき部位に事前に接着剤を塗布し、その接着剤からなる接着層２１に対して毛状繊維２０を植毛するようにすれば良い。植毛方法は特に限定されるものではないが、静電気植毛加工やファイバーコーティング等の手法を採用することができる。
【実施例】
【００２８】
タイヤサイズが１９５／６５Ｒ１５であり、タイヤ側壁に装飾部を設けた空気入りタイヤにおいて、装飾部に少なくとも１つの凹部を形成し、該凹部内に毛状繊維を植毛し、凹部の形状、凹部の深さＤ（ｍｍ）に対する毛状繊維の長さＬ（ｍｍ）の比Ｌ／Ｄを表１のように設定した実施例１〜６のタイヤを製作した。また、装飾部に凸部を形成し、その凸部の頂面に毛状繊維を植毛したこと以外は実施例１〜６と同様の構造を有する比較例１のタイヤを用意した。
【００２９】
毛状繊維としては、白色に着色されたナイロン短繊維を使用した。また、凹部の深さＤは１．０ｍｍとした。
【００３０】
これら試験タイヤについて、下記の評価方法により、装飾部に関する走行後の外観を評価し、その結果を表１に併せて示した。
【００３１】
走行後の外観：
各試験タイヤを試験車両に装着し、６ヶ月間のロードテストを実施し、走行後のタイヤ表面の外観をそれぞれ１０人のパネラーが目視により以下の基準で判定した。評価結果は、以下の基準に基づく評価値の総和を求め、比較例１を１００とする指数にて示した。この指数値が大きいほど装飾効果が優れていることを意味する。
〔判定基準〕
４：毛状繊維の脱落が全く認められない。
３：毛状繊維の脱落が僅かに認められる。
２：毛状繊維の脱落が顕著である。
１：毛状繊維が殆ど脱落している。
【００３２】
【表１】
2015077930.tif 000003
【００３３】
表１から判るように、実施例１〜６のタイヤは、装飾部に少なくとも１つの凹部を形成し、その凹部内に毛状繊維を植毛しているので、走行後における毛状繊維の脱落が少なく、比較例１に比べて走行後の外観が良好であった。
【符号の説明】
【００３４】
１  トレッド部
２  サイドウォール部
３  ビード部
１０  タイヤ側壁
１１  装飾部
１２  標章
１３  凹部
１３ａ  底面
１３ｂ  傾斜面
１４  突条
１５  格子状突起
２０  毛状繊維
２１  接着層
【図１】
2015077930.tif 000004
【図２】
2015077930.tif 000005
【図３】
2015077930.tif 000006
【図４】
2015077930.tif 000007
【図５】
2015077930.tif 000008
【図６】
2015077930.tif 000009